(57)【要約】      （修正有）【課題】製造コストの増加を最小限に抑えることができながら、商品搬出機構の幅が小さくなった場合でも、商品搬出機構の位置決めを良好に行うことができる自動販売機の商品搬出装置を提供する。【解決手段】複数の商品が積み重ねて収納された商品搬送路における下端部に臨んで、商品搬送路の最下端の商品を搬出する商品搬出機構２０が複数設けられ、この商品搬出機構２０の背面同士が合わせられた姿勢で対となって、商品搬送路の側壁板１３間に配設されている自動販売機の商品搬出装置である。商品搬出機構２０に、側面部を有するケース枠２９が設けられ、ケース枠２９の側面部に、側方に突出して、ケース枠２９の側面部が対向する側壁面１３に当接する突出部２９ｊが形成されている。【選択図】図３
2017120458.tif 000002
【特許請求の範囲】
【請求項１】
複数の商品が積み重ねて収納された商品搬送路における下端部に臨んで、商品搬送路の最下端の商品を搬出する商品搬出機構が複数設けられ、この商品搬出機構の背面同士が合わせられた姿勢で対となって、商品搬送路の側壁板間に配設されている自動販売機の商品搬出装置であって、
前記商品搬出機構に、側面部を有するケース枠が設けられ、
前記ケース枠の側面部に、側方に突出して、前記ケース枠の側面部が対向する対向壁面に当接する突出部が形成されていることを特徴とする自動販売機の商品搬出装置。
【請求項２】
前記突出部が、前記ケース枠の片側の側面部に形成されていることを特徴とする請求項１に記載の自動販売機の商品搬出装置。
【請求項３】
前記突出部が、前記ケース枠の両側の側面部にそれぞれ形成されていることを特徴とする請求項１に記載の自動販売機の商品搬出装置。
【請求項４】
前記対向壁面が側壁板であることを特徴とする請求項１〜３の何れか１項に記載の自動販売機の商品搬出装置。
【請求項５】
突出部が複数設けられ、一部の突出部が、互いに背面同士が合わせられる商品搬出機構のケース枠の側面部内面に当接されていることを特徴とする請求項１〜３の何れか１項に記載の自動販売機の商品搬出装置。
【請求項６】
商品搬出機構と側壁板との間にスペーサが配設され、
突出部が複数設けられ、少なくとも一部の突出部が、前記スペーサに当接されていることを特徴とする請求項１〜３の何れか１項に記載の自動販売機の商品搬出装置。
【請求項７】
商品搬出機構と側壁板間にわたって、前記商品搬出機構が下方から装着される上支持軸と、前記商品搬出機構が上方から装着される下支持軸と、がそれぞれ配設され、
前記ケース枠の側面部に形成された突出部が、前記ケース枠の側面部における上支持軸への装着部の近傍と、前記ケース枠の側面部における下支持軸への装着部の近傍と、にそれぞれ設けられていることを特徴とする請求項１〜３の何れか１項に記載の自動販売機の商品搬出装置。
【請求項８】
複数の商品が積み重ねて収納された商品搬送路における下端部に臨んで、商品搬送路の最下端の商品を搬出する商品搬出機構が複数設けられ、この商品搬出機構の背面同士が合わせられた姿勢で対となって、商品搬送路の側壁板間に配設されている自動販売機の商品搬出装置であって、
前記商品搬出機構に、側面部を有するケース枠が設けられ、
前記商品搬送路の側面をなす側壁板に、前記ケース枠の側面部に当接する側壁突出部が設けられていることを特徴とする自動販売機の商品搬出装置。
【請求項９】
請求項１〜８の何れか１項に記載の自動販売機の商品搬出装置を備えていることを特徴とする自動販売機。
【発明の詳細な説明】
【技術分野】
【０００１】
本発明は自動販売機の商品搬出装置に関する。
【背景技術】
【０００２】
上下方向に延びる商品搬送路の下端部に臨むように配設した商品搬出機構により、商品搬送路の最下端の商品を順番に下方に搬出する自動販売機は既に広く知られている。前記商品搬出機構は、背面同士が合わせられた姿勢で対となって配設され、このような構成は、例えば特許文献１、２などに開示されている。
【０００３】
商品搬出機構は、商品搬送路を形成する商品収納部の所定位置に組付けるために、商品搬送路を形成する側壁板間にわたってそれぞれ横方向に延びるように上支持軸と下支持軸とを架け渡し、これらの上支持軸および下支持軸に商品搬出機構を係合させて支持させている。
【０００４】
商品搬出機構は、商品搬送路の下端の開口部を開閉するように商品搬送路に出退自在とされて最下端の商品の落下を阻止する下部ストッパと、商品搬送路における下部ストッパよりも上方箇所に出退自在とされて下から二番目の商品の落下を阻止する上部ストッパと、これらを駆動させる駆動源としてのソレノイドと、ソレノイドの駆動力により、下部ストッパおよび上部ストッパを連動させる連動リンク機構などの複数の摺動する構成部品などを備えている。そして、これらの構成部品が、背面側が開放された扁平な箱枠形状のケース枠に組み付けられている。前記商品搬出機構は、背面同士が合わせられた姿勢で対となって配設された場合に、各商品搬出機構の構成部品同士が干渉して動作が不正とならないように、互いに横方向（上支持軸および下支持軸の軸心に沿う方向）に対して所定の相対位置となるように配設される。
【０００５】
前記特許文献１、２には互いに対となる商品搬出機構の構成部品同士の相対位置を規制する係止部を設けた構成が開示されている。この構成によれば、背面同士を合わせた姿勢で商品搬出機構を配設すると、前記係止部により、対となる商品搬出機構の構成部品同士が干渉することを防止できる。
【先行技術文献】
【特許文献】
【０００６】
【特許文献１】特開２００１−１８８９４８号公報
【特許文献２】特開平５−３０７６７６号公報
【発明の概要】
【発明が解決しようとする課題】
【０００７】
しかしながら、上記の従来の構造でも、ケース枠の薄肉化（すなわち、商品搬出機構の軽量化）や、商品搬出機構の幅を小さくしたり、商品搬送路を形成する側壁板間の寸法が広がったりするなどの設計変更があると、商品搬出機構と側壁板との間に隙間を生じてしまうなどして、商品搬出機構が幅方向に対しては位置決めされなくなってしまう。
【０００８】
この場合に、ケース枠全体の大きさを変更したり、構成部品の大きさを変更したりすると、製造コストが大幅に増加してしまう。また、商品搬出機構と側壁板との間にスペーサを配設することが考えられるが、この場合には、スペーサの部品コストだけでなく組付け工程においてスペーサを配設するために多くの手間や時間がかかってしまう。
【０００９】
本発明は上記課題を解決するもので、製造コストの増加を最小限に抑えることができながら、商品搬出機構の幅が小さくなった場合や商品搬送路の幅の設計変更があった場合でも、商品搬出機構の位置決めを良好に行うことができる自動販売機の商品搬出装置を提供することを目的とするものである。
【課題を解決するための手段】
【００１０】
上記課題を解決するために本発明は、複数の商品が積み重ねて収納された商品搬送路における下端部に臨んで、商品搬送路の最下端の商品を搬出する商品搬出機構が複数設けられ、この商品搬出機構の背面同士が合わせられた姿勢で対となって、商品搬送路の側壁板間に配設されている自動販売機の商品搬出装置であって、前記商品搬出機構に、側面部を有するケース枠が設けられ、前記ケース枠の側面部に、側方に突出して、前記ケース枠の側面部が対向する対向壁面に当接する突出部が形成されていることを特徴とする。
【００１１】
この構成により、前記ケース枠の側面部に、側方に突出して、前記ケース枠の側面部が対向する側壁板などの対向壁面に当接する突出部が形成されているので、商品搬出機構の幅が小さくなったり、商品搬送路を形成する側壁板間の寸法が広がったりした場合でも、この変更寸法に合わせて突出部を形成することで、側壁板などの対向壁面に対して商品搬出機構を所定位置に配設することができる。これにより、商品搬出機構の背面同士が合わせられた姿勢で対となって、商品搬送路の側壁板間に配設する場合でも、商品搬出機構同士の相対位置を良好な状態に決めることもできる。
【００１２】
また、突出部は、ケース枠の側面部の側方に突出するように形成しているため、突出部が設けられていない領域では対向壁面との間に隙間が生まれる。これにより、商品搬出機構の商品搬送路内への取り付けや取り外しの際に、商品搬出機構を商品搬送路内にスムーズに出し入れでき、商品搬出機構の装着作業やメンテナンス作業を容易に行うことができる。
【００１３】
なお、前記突出部は、前記ケース枠の片側の側面部に形成されていてもよいし、前記ケース枠の両側の側面部にそれぞれ形成されていてもよい。突出部をケース枠の両側に形成すると、ケース枠の両側に突出部が設けられていない領域と対向壁面との間の隙間が生まれるので、商品搬出機構の装着作業やメンテナンス作業をより容易に行うことができる。
【００１４】
また、前記対向壁面としては、側壁板が好適であるが、一部の突出部を、互いに背面同士が合わせられる商品搬出機構のケース枠の側面部内面に当接させてもよい。また、少なくとも一部の突出部を、商品搬出機構と側壁板との間に配設されたスペーサに当接させてもよい。
【００１５】
また、商品搬出機構と側壁板間にわたって、前記商品搬出機構が下方から装着される上支持軸と、前記商品搬出機構が上方から装着される下支持軸と、がそれぞれ配設されている構成とすると好適であり、この場合に、前記ケース枠の側面部に形成された突出部を、前記ケース枠の側面部における上支持軸への装着部の近傍と、前記ケース枠の側面部における下支持軸への装着部の近傍と、にそれぞれ設けると、さらに好適である。
【００１６】
また、前記商品搬出機構に、側面部を有するケース枠を設け、前記商品搬送路の側面をなす側壁板に、前記ケース枠の側面部に当接する側壁突出部を設けてもよい。
【発明の効果】
【００１７】
本発明によれば、前記商品搬出機構に、側面部を有するケース枠を設け、前記ケース枠の側面部に、側方に突出して、前記ケース枠の側面部が対向する対向壁面に当接する突出部を形成し、側壁板などの対向壁面に対して商品搬出機構を所定位置に配設することにより、商品搬出機構の背面同士が合わせられた姿勢で対となって、商品搬送路の側壁板間に配設する場合に、商品搬出機構同士の相対位置を良好な状態に決めることができ、商品搬出機構の幅が小さくなったり、商品搬送路を形成する側壁板間の寸法が広がったりした場合でも、この変更寸法に合わせて突出部を形成することで、側壁板などの対向壁面に対して商品搬出機構を所定位置に配設することができる。また、突出部が設けられていない領域では対向壁面との間に隙間が生まれるので、商品搬出機構を商品搬送路内にスムーズに出し入れでき、商品搬出機構の装着作業やメンテナンス作業を容易に行うことができる。
【００１８】
また、前記商品搬出機構に、側面部を有するケース枠を設け、前記商品搬送路の側面をなす側壁板に、前記ケース枠の側面部に当接する側壁突出部を設けることによっても、商品搬出機構の背面同士が合わせられた姿勢で対となって、商品搬送路の側壁板間に配設する場合に、商品搬出機構同士の相対位置を良好な状態に決めることができ、商品搬出機構の幅が小さくなったり、商品搬送路を形成する側壁板間の寸法が広がったりした場合でも、この変更寸法に合わせて突出部を形成することで、側壁板などの対向壁面に対して商品搬出機構を所定位置に配設することができる。
【図面の簡単な説明】
【００１９】
【図１】本発明の実施の形態に係る自動販売機の商品搬出装置の側面図である。
【図２】同商品搬出装置の斜視図である。
【図３】同商品搬出装置の正面図である。
【図４】同商品搬出装置が設けられる自動販売機（いわゆるサーペンタイン式の自動販売機）の側面断面図である。
【図５】同自動販売機の斜視図で、外扉および内扉を開けた状態を示す。
【図６】本発明の実施の形態に係る自動販売機の商品搬出装置における支持軸（上支持軸と下支持軸）を側壁板に取り付けた箇所を示す要部斜視図である。
【図７】同商品搬出装置における商品搬出機構の上支持軸への装着箇所などを示す要部斜視図である。
【図８】同商品搬出装置における商品搬出機構の下支持軸への装着箇所などを示す要部斜視図である。
【図９】本発明の実施の形態に係る自動販売機の商品搬出装置を斜め後ろから見た状態を示す斜視図である。
【図１０】同商品搬出装置の側面図で、（ａ）は商品を受けて待機している状態を示し、（ｂ）は商品を搬出している状態を示す。
【図１１】本発明の他の実施の形態に係る同商品搬出装置（商品搬出機構についてはケース枠だけを簡略的に示す）の平面断面図である。
【図１２】本発明の他の実施の形態に係る同商品搬出装置（商品搬出機構についてはケース枠だけを簡略的に示す）の平面断面図である。
【図１３】本発明の他の実施の形態に係る同商品搬出装置（商品搬出機構についてはケース枠だけを簡略的に示す）の平面断面図である。
【図１４】本発明の他の実施の形態に係る同商品搬出装置（商品搬出機構についてはケース枠だけを簡略的に示す）の平面断面図である。
【図１５】本発明の他の実施の形態に係る同商品搬出装置（商品搬出機構についてはケース枠だけを簡略的に示す）の平面断面図である。
【図１６】本発明の他の実施の形態に係る同商品搬出装置（商品搬出機構についてはケース枠だけを簡略的に示す）の平面断面図である。
【図１７】本発明の他の実施の形態に係る同商品搬出装置に設けられる側壁板および当接部材の斜視図である。
【図１８】同商品搬出装置が設けられる他の自動販売機（いわゆる直積み式の自動販売機）の斜視図で、外扉および内扉を開けた状態を示す。
【図１９】同自動販売機の商品収納装置の側面図である。
【発明を実施するための形態】
【００２０】
以下、本発明の実施の形態に係る自動販売機の商品搬出装置を、図面に基づき説明する。なお、ここで示す実施の形態はあくまでも一例であって、必ずしもこの実施の形態に限定されるものではない。
【００２１】
図１〜図３などに示すように、本発明の自動販売機の商品搬出装置１は、複数の商品Ｓが積み重ねて収納された商品搬送路２における下端部に臨んで、商品搬送路２間に配設されている。この商品搬出装置１は、図４、図５に簡略的に示すように、缶やペットボトルなどの容器に入れられた商品Ｓを蛇行状に上下に収納して最下端の商品を搬出するいわゆるサーペンタイン式の自動販売機１０などに設けられている。そして、商品搬出装置１（詳しくは、商品搬出装置１に設けられている商品搬出機構２０）は、後述するように、商品搬送路２内で搬送されてきた最下端の商品Ｓを下方に搬出する（払い出す）機能を有する。
【００２２】
自動販売機１０において商品搬送路２は、前後方向および左右に複数設けられ、対となった商品搬送路２の下端部間に、商品搬出装置１が配設されている。図４、図５における３は外扉（前面扉とも称せられる）で、自動販売機本体５の前面開口部を開閉可能な状態で支持されている。また、自動販売機本体５には、商品搬送路２および商品搬出装置１を備えてなる商品収納装置４が左右方向に複数列収納されてなる断熱構造の収納断熱庫７が配設され、この収納断熱庫７は、断熱性を有する内扉８により開閉自在とされている。収納断熱庫７内は、冷凍サイクルなどの冷却装置や加熱装置を用いて、冷却または加温される（すなわち商品Ｓが調温される）。また、図４、図５における１１は商品搬送路２から搬出された商品Ｓを、外扉３の下部に設けられた商品取出口１２に導くシュートである。
【００２３】
図１〜図３などに示すように、商品搬出装置１は、互いに背面同士が合わせられた姿勢（例えば前後に合わせられた姿勢）で対となって配設される商品搬出機構２０と、これらの商品搬出機構２０が着脱可能な姿勢で装着されて支持する上支持軸１４および下支持軸１５と、これらの上支持軸１４および下支持軸１５が取り付けられる側壁板１３などから構成されている。なお、図１における２ａは側壁板１３間にわたって、商品搬出機構２０に対向する位置に配設された通路形成板である。
【００２４】
図２、図３などに示すように、側壁板１３は、商品搬送路２の両側方で上下および奥行方向（前後方向）に延びる状態で配設されている。そして、側壁板１３間にわたって、商品搬出機構２０を支持する上支持軸１４と下支持軸１５とが左右に延びる姿勢でそれぞれ取り付けられている。なお、この実施の形態では、図６に示すように、側壁板１３に異形孔１３ａ、１３ｂが形成され、この異形孔１３ａ、１３ｂに、上支持軸１４と下支持軸１５が、その両端部の高さ方向中間部にそれぞれ形成された円弧状の切欠溝部１４ａ、１５ａが設けられた箇所で嵌合した姿勢で係止されている。なお、図６〜図８に示すように、この実施の形態では、上支持軸１４や下支持軸１５は金属板を側面視円形に湾曲（カール）させた中空のもので形成され、軽量化や製造コストの低減化が図られているが、これに限るものではない。また、上支持軸１４や下支持軸１５の側壁板１３への取付手段（係止手段）も上記構成に限るものではなく、略Ｃ字型のワッシャやその他の係止部材などを用いて係止させてもよい。また、上支持軸１４や下支持軸１５としては、中実の軸を用いたりしてもよく、断面形状も円形以外でも差支えない。
【００２５】
商品搬出機構２０は、図９、図１０（ａ）、（ｂ）に示すように、商品搬送路２の下端の開口部を開閉するように商品搬送路２に出退自在とされて最下端の商品Ｓの落下を阻止する下部ストッパ２３と、商品搬送路２における下部ストッパ２３よりも上方箇所に出退自在とされて下から２番目の商品Ｓの落下を阻止する上部ストッパ２４と、これらを駆動させる駆動源としてのソレノイド２５と、ソレノイド２５の駆動力により、下部ストッパ２３および上部ストッパ２４を連動させる連動レバー２６などからなる連動リンク機構と、商品搬送路２内の商品Ｓの有無を検知する売切検知レバー２７および売切検知センサ２８と、これらの構成要素が組みつけられ、背面側が開放された扁平な箱枠形状のケース枠２９などから構成されている。
【００２６】
ケース枠２９は金属板をプレス加工するなどして製作されており、左右の側面部２９ｆなどを有している。ケース枠２９の側面部２９ｆの上端には上支持軸１４に下方から嵌りこむ上嵌合凹部２９ａ、２９ｂが形成され、また、ケース枠２９の側面部２９ｆの下端には下支持軸１５に上方から嵌りこむ下嵌合凹部２９ｃ、２９ｄが形成されている。また、ケース枠２９の幅方向中央の下端部内側には、樹脂などにより形成されて弾性変形可能とされ、下支持軸１５に対して側面視して略円弧状（略Ｃ字形状）に嵌りこむ弾性嵌合材（いわゆるフック）３１が取り付けられている。
【００２７】
そして、この商品搬出機構２０を上支持軸１４および下支持軸１５に組み付ける際には、ケース枠２９の上嵌合凹部２９ａ、２９ｂが上支持軸１４に下方から嵌り込むように商品搬出機構２０を下方から押し上げた後に、弾性嵌合材３１が下支持軸１５に嵌り込むように商品搬出機構２０を下支持軸１５の方に押し込み、下支持軸１５に下嵌合凹部２９ｃ、２９ｄが載った状態なるように嵌り込ませることで、商品搬出機構２０を、側壁板１３などの商品収納装置４を構成するフレーム枠に組付ける（装着する）ようになっている。
【００２８】
上記構成に加えて、図１１および図２、図３などに示すように、ケース枠２９の側面部２９ｆには、側方に突出して、ケース枠２９の側面部２９ｆが対向する対向壁面に当接する突出部２９ｊが形成されている。そして、ケース枠２９の側面部２９ｆに形成された突出部２９ｊが対向壁面に当接されている。図１１および図２、図３などに示すこの実施の形態では、前記した対向壁面が側壁板１３であり、ケース枠２９の側面部２９ｆに形成された突出部２９ｊが、側壁板１３に当接された状態で、商品搬出機構２０が上支持軸１４および下支持軸１５に組み付けられている。また、突出部２９ｊが形成されているケース枠２９の側面部２９ｆに、対となる商品搬出機構２０の側面部２９ｆの一部が内側から当接されている（すわなち、側面部２９ｆの内面が当接されている）。また、この実施の形態では、突出部２９ｊが、ケース枠２９の一方の側面部２９ｆにおける側方に、平面視して山形状のリブを形成するように突出する（平面視して台形山形状に突出する形状であれば好適であるがこれに限るものではない）ように形成されている。なお、この実施の形態では、突出部２９ｊが、上支持軸１４に嵌合される上嵌合凹部２９ａの近傍箇所と、下支持軸下支持軸１５に嵌合される下嵌合凹部２９ｃの近傍箇所とに形成されている場合をしめしているが、これに限るものではなく、さらに多くの突出部をケース枠２９の側面部２９ｆに形成してもよい。また、図１１においては、互いに、背面同士が合わせられた商品搬出機構２０のケース枠２９における突出部２９ｊが設けられている箇所（図３におけるＡ−Ａ線矢視図）で切断した状態を簡略的に（すなわち、ケース枠２９のみを簡略的に）示している。
【００２９】
この構成によれば、商品搬出機構２０のケース枠２９の側面部２９ｆに形成した突出部２９ｊと他の側面部２９ｆとにより、商品搬出機構２０の幅方向（左右）の位置が規制される。すなわち、この構成により、ケース枠２９の側面部２９ｆに、側方に突出して、ケース枠２９の側面部２９ｆが対向する対向壁面としての側壁板１３に当接する突出部２９ｊが形成されているので、商品搬出機構２０の幅が小さくなったり、商品搬送路２を形成する側壁板１３間の寸法が広がったりした場合でも、この変更寸法に合わせて突出部２９ｊを形成することで、対向壁面としての側壁板１３に対して商品搬出機構２０を所定位置に配設することができる。また、この構成により、商品搬出機構２０を側壁板１３間の所定位置に配設することができるため、商品搬出機構２０を、その背面同士が合わせられた姿勢で対となって商品搬送路２の側壁板１３間に配設する場合でも、商品搬出機構２０同士の相対位置を良好な状態に決めることもできる。
【００３０】
また、突出部２９ｊはケース枠２９の一部を突出させるだけで、プレス加工などで容易に一体成形できるため、製造コストの増加も比較的少なく済ますことができる利点がある。また、この実施の形態では、突出部２９ｊがケース枠２９の片側の側面部２９ｆだけに形成されているので、突出部２９ｊを有しないものと比較して、製造コストの増加を最小限に抑えることができる利点もある。また、突出部２９ｊをケース枠２９の側面部２９ｆにおける複数箇所に形成することで、商品搬出機構２０を、その突出部２９ｊにより側壁板１３などの対向壁面に安定した状態で当接させることができる利点を有するがこれに限るものではない。
【００３１】
また、メンテナンス作業時等で、商品搬出機構２０を商品搬送路２に着脱する際は、作業者は、図４に示す自動販売機本体５の前面開口部から収納断熱庫７内の商品搬送路２の下方とシュート１１との間に手を差し入れて、商品搬送路２の下方の商品搬出機構２０を外したり、装着したりする。商品搬出機構２０のケース枠２９の側面部２９ｆには、突出部２９ｊが側方に突出するように形成されているので、突出部２９ｊが設けられていない領域ではケース枠２９の側面部２９ｆと商品搬送路２の側壁板１３との間に突出部の高さ分の隙間が生まれる。つまり、商品搬出機構２０の幅は商品搬送路２の通路幅よりも短くなるため、商品搬出機構２０を商品搬送路２内にスムーズに出し入れでき、商品搬出機構２０のメンテナンス作業等を容易に行うことができる。
【００３２】
また、上記の実施の形態では、突出部２９ｊが形成されていない側のケース枠２９の側面部２９ｆについては、背面同士が合わされる商品搬出機構２０におけるケース枠２９の側面部２９ｆの内面に当接されるように構成している場合を述べたが、これに限るものではない。例えば、図１２に示すように、突出部２９ｊが形成されていない側のケース枠２９の側面部２９ｆについては、直接、側壁板１３に当接するよう構成してもよい。
【００３３】
また、上記の実施の形態では、ケース枠２９の片側の側面部２９ｆだけに突出部２９ｊを形成した場合を述べたが、これに限るものではなく、図１３に示すように、ケース枠２９の両側の側面部２９ｆに突出部２９ｊを形成してもよい。図１３に示す場合には、ケース枠２９の両側の側面部２９ｆに形成した突出部２９ｊをいずれも対向壁面としての側壁板１３に当接するように構成している。なお、ケース枠２９の両側の側面部２９ｆに突出部２９ｊを形成する場合には、商品搬出機構２０同士をその背面同士が合わされる姿勢で干渉することなく装着できるよう、一方の側面部２９ｆに形成した突出部２９ｊの突出寸法を、他方の側面部２９ｆに形成した突出部２９ｊの突出寸法とは異ならせている。
【００３４】
この実施の形態では、商品搬出機構２０のケース枠２９の両側面部２９ｆに形成した突出部２９ｊにより、商品搬出機構２０の幅方向（左右）の位置が規制される。また、このように、ケース枠２９の両側の側面部２９ｆに突出部２９ｊを形成するよう構成したことにより、このケース枠２９を備えた商品搬出機構２０を側壁板１３間に装着する際に、突出部２９ｊが設けられていない領域では側壁板１３との間に隙間を有する状態となる。よって、商品搬出機構２０の幅は商品搬送路２の通路幅よりも短くなるとともに、商品搬出機構２０と商品搬送路２とは、突出部２９ｊと側壁板１３とが当接するだけとなるので、突出部２９ｊをケース枠２９の片側の側面部２９ｆだけに設けた場合（この時、他方はケース枠２９の側面部２９ｆと商品搬送路２の側壁板１３との面と面の接触となる）に比べて、商品搬出機構２０を商品搬送路２内にスムーズに出し入れでき、商品搬出機構２０の装着作業やメンテナンス作業をより容易に行うことができる。
【００３５】
また、図１４に示すように、ケース枠２９の側面部２９ｆに形成した突出部２９ｊを、互いに背面同士が合わせられる他方の商品搬出機構２０のケース枠２９の側面部２９ｆの内面（対向壁面の他の例）に当接させるよう構成してもよい。この構成の場合には、ケース枠２９の側面部２９ｆの外面側が側壁板１３に当接され、ケース枠２９の側面部２９ｆの内面側には他方の商品搬出機構２０におけるケース枠２９の側面部２９ｆに形成された突出部２９ｊが当接することとなり、これにより、商品搬出機構２０の幅方向（左右）の位置が規制される。
【００３６】
この構成でも、商品搬出機構２０の幅が小さくなったり、商品搬送路２を形成する側壁板１３間の寸法が広がったりした場合でも、この変更寸法に合わせて突出部２９ｊを形成することで、対向壁面としての側壁板１３に対して商品搬出機構２０を所定位置に配設することができる。また、商品搬出機構２０を、その背面同士が合わせられた姿勢で対となって商品搬送路２の側壁板１３間に配設する場合でも、商品搬出機構２０同士の相対位置を良好な状態に決めることもできる。
【００３７】
また、図１５に示すように、ケース枠２９の両側の側面部２９ｆに突出部２９ｊを形成し、一方の突出部２９ｊについては側壁板１３に当接させ、他方の突出部２９ｊについては、他方の商品搬出機構２０におけるケース枠２９の側面部２９ｆに内側から当接させてもよい。この構成でも、ケース枠２９の突出部２９ｊおよびケース枠２９の側面部２９ｆを介して、側壁板１３間に商品搬出機構２０を所定位置に配設することができ、商品搬出機構２０を、その背面同士が合わせられた姿勢で対となって商品搬送路２の側壁板１３間に配設する場合でも、商品搬出機構２０同士の相対位置を良好な状態に決めることもできる。
【００３８】
なお、図１６に示すように、側壁板１３と商品搬出機構２０との間に、スペーサ４０を設けて、ケース枠２９に形成した突出部２９ｊやケース枠２９の側面部２９ｆをスペーサ４０（当接壁面のさらに他の例）に当接させるように構成することも可能である。
【００３９】
また、上記の実施の形態では、突出部２９ｊとして、平面視して山形状のリブを形成するように突出する（膨出する）場合を述べたが、これに限るものではなく、側面部の一部を切り起こすなどして形成してもよい。
【００４０】
また、上記の実施の形態では、突出部２９ｊをケース枠２９の側面部２９ｆに形成した場合を述べたが、これに限るものではない。すなわち、図１７に示すように、突出部２９ｊをケース枠２９の側面部２９ｆに形成する代わりに、側壁板１３に、側壁突出部４１を組付けるなどして設けてもよい。すなわち、側壁突出部４１を、側壁板１３から側壁突出部４１が内面側に突出するように取り付ける。
【００４１】
この構成によっても、側壁板１３間に商品搬出機構２０を組付けた際に、側壁板１３に取り付けた側壁突出部４１により、商品搬出機構２０のケース枠２９を商品搬出機構２０の幅方向（左右）に沿う位置が規制された状態で配設でき、商品搬出機構２０を、その背面同士が合わせられた姿勢で対となって商品搬送路２の側壁板１３間に配設する場合でも、商品搬出機構２０同士の相対位置を良好な状態に決めることができる。
【００４２】
また、上記実施の形態では、商品搬出機構２０、突出部２９ｊ、側壁板１３などを備えた商品搬出装置が、缶やペットボトルなどの容器に入れられた商品Ｓを蛇行状に上下に収納して最下端の商品を搬出するいわゆるサーペンタイン式の自動販売機１０などに設けられている場合を述べた。しかしこれに限るものではなく、図１８や図１９に簡略的に示すように、上記構成と同様な商品搬出機構２０、突出部２９ｊ、側壁板１３などを備えた商品搬出装置を、紙パックや缶などに入れられた商品を上下に直積みした状態で収納して最下端の商品を搬出するいわゆる直積み式の自動販売機１０’などに設けてもよい。なお、図１８や図１９に簡略的に示す直積み式の自動販売機１０’における、図５や図６に示す自動販売機１０と同様な機能を有する構成要素には同じ符号を付している。
【符号の説明】
【００４３】
１      商品搬出装置
２      商品搬送路
４      商品収納装置
５      自動販売機本体
１０、１０’    自動販売機
１３    側壁板（対向壁面）
１４    上支持軸
１５    下支持軸
２０    商品搬出機構
２３    下部ストッパ
２４    上部ストッパ
２５    ソレノイド（駆動源）
２９    ケース枠
２９ａ、２９ｂ    上嵌合部
２９ｃ、２９ｄ    下嵌合部
２９ｆ    側面部
２９ｊ    突出部
４０    スペーサ（対向壁面）
４１    側壁突出部
【図１】
2017120458.tif 000003
【図２】
2017120458.tif 000004
【図３】
2017120458.tif 000005
【図４】
2017120458.tif 000006
【図５】
2017120458.tif 000007
【図６】
2017120458.tif 000008
【図７】
2017120458.tif 000009
【図８】
2017120458.tif 000010
【図９】
2017120458.tif 000011
【図１０】
2017120458.tif 000012
【図１１】
2017120458.tif 000013
【図１２】
2017120458.tif 000014
【図１３】
2017120458.tif 000015
【図１４】
2017120458.tif 000016
【図１５】
2017120458.tif 000017
【図１６】
2017120458.tif 000018
【図１７】
2017120458.tif 000019
【図１８】
2017120458.tif 000020
【図１９】
2017120458.tif 000021